(57)【要約】【課題】望ましい放射（平行化かつ色混合されたビーム）を得るためのＬＥＤ光源に対する集光光学機器を提供する。【解決手段】ＬＥＤ光源から指定の光出力を得るための様々な光学的技術。１つの技術は、ＬＥＤ又はＬＥＤアレイを取り囲む放物形反射体を用いて平行ビームを生成するものであり、放物形反射体の出射開口部は、望ましい大きさの開口部を有する反射ディスクによって形成されている。開口部の外側のあらゆる発生した光は、放物形反射体内に反射して戻され、光が開口部を出るまで再び反射される。異なるＬＥＤ又は活性化された蛍光体からの異なる光の色を混合するために、混合トンネルが使用される。混合トンネルは、光の選択した色又は偏光を選択的に反射して混合トンネルの単一出力ポートまで通す傾斜２色性ミラー又は傾斜偏光ミラーを含む。蛍光体を活性化する効率的でコンパクトな方法、及び他の光学的技術も説明する。【選択図】図２Ａ
2006332042.tif 000002
【特許請求の範囲】
【請求項１】
少なくとも１つの発光要素、及び
前記少なくとも１つの発光要素からの光を受光する反射壁を備えた反射体を含む集光光学機器、
を含み、
前記壁は、前記少なくとも１つの発光要素によって発せられた光をほぼ平行化するために該少なくとも１つの発光要素に対して角度を成しており、前記集光光学機器は、第１の断面区域を有する端部を有し、
前記集光光学機器の前記端部における部分反射要素、
を更に含み、
前記部分反射要素は、適用システムのある一定の判断基準を満足する光を伝達し、該一定の判断基準を満足しない光を前記少なくとも１つの発光要素に向けて反射して戻し、該部分反射要素に向けて前記集光光学機器によって再反射して戻すためのものである、
光源と、
仮に反射されなかった場合は適用システムにおいて有効に使用されないであろう光を反射する前記部分反射要素によって伝達された該光を使用するために前記光源に光学結合した適用システムと、
を含むことを特徴とする光システム。
【請求項２】
前記反射体は、透明材料で形成された中実体であり、
前記壁は、前記透明材料と空気の屈折率の差のために内部全反射（ＴＩＲ）で反射させる、
ことを特徴とする請求項１に記載のシステム。
【請求項３】
前記反射体は、ほぼ放物形状を有することを特徴とする請求項１に記載のシステム。
【請求項４】
ある一定の判断基準を満足する光を伝達させるための前記部分反射要素は、開口部を有する反射材料を含み、
前記反射材料に衝突する前記反射体からの全ての光は、該反射体内に反射して戻され、前記開口部を通過する光は、前記適用システムに伝達される、
ことを特徴とする請求項１に記載のシステム。
【請求項５】
前記第１の断面区域は、矩形であることを特徴とする請求項１に記載のシステム。
【請求項６】
前記第１の断面区域は、円形であることを特徴とする請求項１に記載のシステム。
【請求項７】
前記少なくとも１つの発光要素は、少なくとも１つの発光ダイオード（ＬＥＤ）を含むことを特徴とする請求項１に記載のシステム。
【請求項８】
ある一定の判断基準を満足する光を伝達する前記部分反射要素は、開口部を有する反射材料を含み、
前記反射材料に衝突する前記反射体からの全ての光は、該反射体内に反射して戻され、前記開口部を通過する光は、前記適用システムに伝達され、
前記開口部は、ある一定の偏光を有する光のみを伝達して該ある一定の偏光以外を有する光を反射する偏光ミラーを含む、
ことを特徴とする請求項１に記載のシステム。
【請求項９】
ある一定の判断基準を満足する光を伝達する前記部分反射要素は、開口部を有する反射材料を含み、
前記反射材料に衝突する前記反射体からの全ての光は、該反射体内に反射して戻され、前記開口部を通過する光は、前記適用システムに伝達され、
前記開口部は、第１の波長を有する光のみを伝達して第１の波長以外を有する光を反射する２色性ミラーを含む、
ことを特徴とする請求項１に記載のシステム。
【請求項１０】
ある一定の判断基準を満足する光を伝達する前記部分反射要素は、開口部を有する反射材料を含み、
前記反射材料に衝突する前記反射体からの全ての光は、該反射体内に反射して戻され、前記開口部を通過する光は、前記適用システムに伝達され、
前記開口部は、ある一定の角度内で衝突する光のみを伝達して該ある一定の角度外で衝突する光を反射する回折格子を含む、
ことを特徴とする請求項１に記載のシステム。
【請求項１１】
前記部分反射要素は、前記第１の断面区域よりも小さい光が伝達されて通る開口部を有し、
前記適用システムは、前記部分反射要素の前記開口部とほぼ同じ大きさの入射開口部を有する、
ことを特徴とする請求項１に記載のシステム。
【請求項１２】
前記適用システムは、前記第１の断面区域よりも断面が小さい入射開口部を有する光混合トンネルを含むことを特徴とする請求項１に記載のシステム。
【請求項１３】
前記光源は、第１の光源を含み、
前記部分反射要素は、前記第１の断面区域よりも小さい光が伝達されて通る開口部を有し、
前記光混合トンネルは、
第１の色の光を発する前記少なくとも１つの発光要素からの光を受光するために前記部分反射要素の前記開口部に光学結合した第１の開口部と、
第２の色の光を発する第２の光源からの光を受光するための第２の開口部と、
を含み、
前記光混合トンネルは、内部反射壁を有し、前記第１の光源は、前記第１の色の光を該光混合トンネル内に供給し、前記第２の光源は、前記第２の色を該光混合トンネル内に供給し、
前記光混合トンネルは、更に、
前記第２の色の光を反射して前記第１の色の光を通す第１の２色性ミラー、
を含み、
前記第１の２色性ミラーは、前記第１の色の前記光を出力ポートまで通過させて前記第２の色の前記光を該出力ポートの方向に反射し、それによって該第１の色の光と第２の色の光を該出力ポートで混合させるために第１の角度を成して前記混合トンネル内にある、
ことを特徴とする請求項１２に記載のシステム。
【請求項１４】
前記光混合トンネルの前記第１の開口部及び第２の開口部における少なくとも１つのレンズを更に含むことを特徴とする請求項１３に記載のシステム。
【請求項１５】
前記混合トンネルは、第３の色の光を発する第３の光源からの光を受光するための第３の開口部を有し、
前記混合トンネルは、更に、前記第３の色の光を反射して前記第１の色と第２の色の光を通す第２の２色性ミラーを含み、
前記第２の２色性ミラーは、前記第１の色と第２の色の前記光を出力ポートまで通過させて前記第３の色の前記光を該出力ポートの方向に反射し、それによって該第１の色、第２の色、及び第３の色の光を該出力ポートで混合させるために角度を成して前記混合トンネル内にある、
ことを特徴とする請求項１３に記載のシステム。
【請求項１６】
前記適用システムは、前記第１の断面区域よりも断面が小さい入射開口部を有する光波長変換システムを含むことを特徴とする請求項１に記載のシステム。
【請求項１７】
前記少なくとも１つの発光要素は、前記部分反射要素の開口部を通して第１の方向に青色又はＵＶ光を放射するポンプ光源として作用し、
前記光波長変換システムは、
前記第１の方向に対して斜めの角度を成し、前記青色又はＵＶ光を通す第１の２色性ミラーと、
前記青色又はＵＶ光によって活性化された時に該青色又はＵＶ光を第１の色のより長い波長の光に変換するために、前記２色性ミラーを通過した後の該青色又はＵＶ光を受光して該第１の色の光を放射するように位置した第１の蛍光体と、
を含み、
前記２色性ミラーは、前記第１の色の光を反射する表面を有し、かつ前記第１の蛍光体によって放射された前記光を受光して該光を前記光波長変換システムの出力ポートに向ける、
ことを特徴とする請求項１６に記載のシステム。
【請求項１８】
前記適用システムはまた、前記第１の蛍光体によって放射されて前記２色性ミラーから反射した光を受光して１つ又はそれよりも多くの他の波長の光を受光する光混合トンネルを含み、
前記混合トンネルは、
前記光波長変換システムからの前記第１の色の光を光学的に受け取る第１の開口部と、
第２の色の光を発する第２の光源からの光を受光するための第２の開口部と、
含み、
前記光混合トンネルは、内部反射壁を有し、
前記混合トンネルは、更に、
前記第２の色の光を反射して前記第１の色の光を通す第１の２色性ミラー、
を含み、
前記第１の２色性ミラーは、前記第１の色の前記光を出力ポートまで通過させて前記第２の色の前記光を該出力ポートの方向に反射し、それによって該第１の色の光と第２の色の光を該出力ポートで混合させるために第１の角度を成して前記混合トンネル内にある、
ことを特徴とする請求項１７に記載のシステム。
【請求項１９】
仮に反射されなかった場合は前記適用システムにおいて有効に使用されないであろう光を反射する前記部分反射要素は、仮に反射されなかった場合に該適用システムにおいて有効に使用されないであろう全ての光を反射する該部分反射要素を含むことを特徴とする請求項１に記載のシステム。
【請求項２０】
前記適用システムは、投写型ディスプレイシステムを含むことを特徴とする請求項１に記載のシステム。
【発明の詳細な説明】
【技術分野】
【０００１】
政府実施権
米国政府は、本発明の支払い済み実施権と、米国陸軍研究所によって与えられた契約番号「ＵＳＤＣ  ＲＦＰ０３−９５」の条項により規定された妥当な条項に基づいて他者に許可するように特許所有者に要求する限定状況下の権利とを有する。
本発明は、発光ダイオード（ＬＥＤ）又は他の半導体光源に関し、特に、望ましい放射（例えば、平行化かつ色混合されたビーム）を得るためのこれらの光源に対する集光光学機器に関する。
【背景技術】
【０００２】
ＬＥＤダイは、一般的に、非常に広い角度、典型的には中心軸から９０度までにわたって光を発する。レンズ又は反射カップを用いて、ＬＥＤで発せられた光の方向を変えることが一般的である。このような単純な光学的技術は、表示灯として使用する装置又は正確な放射パターンが不要な場合に適している。
白色光を生成するためのように色の異なるＬＥＤ（例えば、ＲＧＢのＬＥＤ）からの光を混合する必要がある時の一般的な技術は、出射開口部を有する拡散反射箱内で光を混合することである。
【０００３】
【特許文献１】米国特許第６，１３３，５８９号
【特許文献２】米国特許第６，２７４，３９９号
【特許文献３】米国特許第６，２７４，９２４号
【特許文献４】米国特許第６，２９１，８３９号
【特許文献５】米国特許第６，５２５，３３５号
【特許文献６】米国特許第６，５７６，４８８号
【特許文献７】米国特許第６，６４９，４４０号
【発明の開示】
【発明が解決しようとする課題】
【０００４】
上述の技術の用途は、限られている。ＬＥＤ照明システムは、１つ又はそれよりも多くのＬＥＤ（例えば、ＬＥＤのアレイ）と集光及び色結合の両方の光学機器とで構成される場合がある。ＬＥＤ照明システムの光出力がシステムに対して狭く指定された時には、革新的な光学的ソリューションを用いる必要がある。本明細書で説明する実施形態は、一般的に、投射ディスプレイ（例えば、背面投射型テレビ又は前面投写型）のためのようなエテンジュ限定システム、自動車用途（例えば、前照灯）、光ファイバ、アクセント照明、小さなスペースでの色混合、及び他の用途に有用である。
【課題を解決するための手段】
【０００５】
ＬＥＤ照明システムから指定の光出力を得るための様々な光学的技術を説明する。
一部の用途では、指定の断面の平行ビーム（望ましいエテンジュ(etendue)を得るために）が生成される。望ましいビームを達成するために、反射体（例えば、放物形状のもの）がＬＥＤ又はＬＥＤアレイを取り囲んで平行ビームを生成し、反射体の出射開口部は、望ましい大きさ及び形状（例えば、円形、矩形、その他）の開口部を有する反射ディスク（又は他の形状）によって形成される。開口部の外側のあらゆる発生した光は、反射ディスクによって反射体内に反射して戻され、光が開口部を出るまで再度反射される。開口部の大きさ及び／又は反射コリメータは、異なる用途に対してＬＥＤ光源を変えることなく容易に変更することができる。
【０００６】
好ましくは、反射ディスク内の出射開口部は、伝達光を受光して使用する用途のシステムの入射開口部とほぼ同じである。反射体及び反射ディスクは、２つの光システムのエテンジュを一致させるように構成される。エテンジュは、基本的には、開口部の大きさにシステムが光を受け入れる立体角（又は、トランスミッタの場合は伝達された立体角）を乗じたものである。エテンジュは、Ａ*ｓｉｎ（ａ）2によって計算することができ、ただし、Ａは面積（開口部の大きさ）、及びａは立体角である。受光システムの入射開口部よりも大きな出射開口部を有する光伝達システムは、本明細書で説明するシステムにおけるように未使用の光が伝達システム内に反射して戻されない限り境界面で光を失うことになる。
【０００７】
開口部を形成する１００％反射ディスクの代わりに、光開口部は、望ましい偏光を有する光のみを伝達して望ましくない偏光状態の光を反射して戻す反射偏向器とすることができる。集光光学機器は、反射光を受光してその偏光を望ましい偏光になるように変える要素又は材料を含むことができる。このようにして、光が保存され、最終的に開口部を通じて伝達される。
【０００８】
代替的に、光開口部は、特定の光円錐内の光を伝達して円錐の外側の光を反射して戻す回折光学機器構造とすることができる。反射して戻されたどの光も開口部に向けて再び反射される。
代替的に、光開口部は、ある一定の波長範囲及び角度内の光を伝達して他の全ての光を反射して戻す２色性ミラーとすることができる。反射して戻されたどの光も開口部に向けて再び反射される。
様々な光学機器の組合せを用いて、ある一定量のみを有する光を下流側システムに伝達することができる。
【０００９】
光源は、遠隔ポンピング蛍光体とすることができ、蛍光体からの光は、反射体によって集光され、反射体は、上述の光学機器の１つ又はそれよりも多くを有する。光源はまた、「垂直空洞面発光レーザ（ＶＣＳＥＬ）」又はあらゆる他の形式の光源とすることができる。
【００１０】
１つ又はそれよりも多くの光源及び再循環反射体からの異なる光の色を混合するために、反射壁を有する混合トンネルが使用される。混合トンネルは、指定の色のみを反射して他の色を通過させる傾斜した２色性ミラーを含む。赤、緑、及び青色の光を混合トンネルの異なる区域に注入することにより、異なる色が傾斜ミラーで反射されるか又はそれを通過して全ての光ビームが混合トンネルを通るように誘導される。これによって光の異なる色が組み合わされ、例えば白色光が生成される。ミラー及び光源の配置は、ある一定の色を他よりも減衰させて望ましい色混合を得るように選択することができる。混合トンネルは、非常に小型に作ることができる。偏光ミラー（又は、他の選択的反射体）は、２色性ミラーの代わりに又はそれと共に使用することができる。
他の光学的技術も説明する。
様々な図において同じ番号で特定される要素は、同じか又は類似のものである。
【発明を実施するための最良の形態】
【００１１】
図１は、サブマウント１２に取り付けられたＬＥＤダイ１０の側面図である。ダイ１０は、例えば、正方形又は円に配置されたＬＥＤのアレイの一部とすることができる。サブマウント１２は、ＬＥＤを相互接続し、付加的な回路（例えば、ＥＳＤ素子）を形成し、取扱いを容易にするために使用される。サブマウントは、絶縁アルミニウム、セラミック、シリコン、又はあらゆる他の適切な材料とすることができる。サブマウントは、本発明に必要なものではない。ダイ１０は、代わりに、活性化された蛍光体を含むＶＣＳＥＬ又は他の光源とすることができる。
【００１２】
ＬＥＤは、どのような形式でもよい。ワイヤ接続が不要であるようにｎ及びｐ接点１４がダイの片側に形成されているフリップチップを図１に示している。サブマウント１２は、ダイ接触パッドに半田付けすることができる対応する接触パッドを有する。図１の例においては、サブマウントは、回路基板、リードフレーム、又は他の支持構造体に接続されるように接触パッド１６に電気的に接続したサブマウントを通って延びるバイアを有する。代替的に、サブマウントは、その上面に差し込み式コネクタを含むことができる。ＬＥＤ、並びに異なる色の蛍光体を形成する例は、米国特許第６，１３３，５８９号、第６，２７４，３９９号、第６，２７４，９２４号、第６，２９１，８３９号、第６，５２５，３３５号、第６，５７６，４８８号、及び第６，６４９，４４０号に説明されており、その全ては、「Ｌｕｍｉｌｅｄｓ  Ｌｉｇｈｔｉｎｇ」に譲渡され、引用により組み込まれている。あらゆる適切なＬＥＤ及び蛍光体を上述の光学機器と共に使用することができる。
【００１３】
図２Ａは、図１に示す構造体又はあらゆる他のＬＥＤアレイとすることができるＬＥＤアレイ１８の側面図である。十分に明るい場合は単一のＬＥＤを使用することもできる。放熱板２０は、映写機のような高電力用途向けにファンに接続した状態（ファン覆いのみを図示）で示されている。放熱板２０は、フィンを含むこともできる。
【００１４】
反射体２４は、２つの部分を含む。側面部分２６は、ＬＥＤアレイ１８によって発せられた光を平行化するほぼ放物形の反射体を形成する。反射体は、一般的に円形又は矩形の断面を有することになる。放物形反射体は、反射材料で作られるか又は反射材料で被覆される。例えば、反射体２４は、アルミニウム、銀、３ＭのＥＳＲ反射フィルム、又はあらゆる他の反射材料で形成するか又は覆うことができる。代替的に、反射体は、中実透明材料（例えば、プラスチック又はガラス）で作り、光を平行化するために内部全反射に頼ることができる。反射体２４は、ＬＥＤアレイ１８の大きさに応じてあらゆる大きさを有することができる。特定のビーム形状に対して放物形以外の形状も想定されている。反射体はまた、中実体（例えば、プラスチック又はガラス）とすることができ、壁からの内部全反射（ＴＩＲ）は、材料及び空気の屈折率の差によることになる。
【００１５】
反射体２４の第２の部分は、開口部３０を有する反射ディスクとすることができる反射開口２８である。ディスクは、反射体２４（同じ反射材料を使用）と一体とすることができ、又は別々の部分とすることもできる。開口部３０は、望ましいビーム形状に応じて円形、正方形、又はあらゆる他の形状とすることができる。開口部３０を通過するように向けられないあらゆる光は、反射体２４内に反射して戻される。この反射光は、その後、最終的にあらゆる大きさ及び形状の集中平行光ビームを生成するために開口部３０に向けて再び反射される。ＬＥＤアレイ１８が取り付けられた基板は、再循環効率を上げるために反射性であることが好ましい。
【００１６】
開口部３０は、光ファイバ又はあらゆる大きさの光導体に対して大きさを決めることができる。あるいは、光は、遠くのスクリーン上に投射するか又はあらゆる他の用途に向けて使用することができる。様々な他の用途を以下で説明する。
異なる用途に向けてＬＥＤ光源を変えることなく、反射開口２８及び／又は反射体２４全体を容易に変えることができる。
【００１７】
図２Ｂは、あらゆる長さの光導体２７からの光を受光する図２Ａの反射体を示している。光導体は、ファイバ又は剛性材料のような中実透明材料とすることができる。ＬＥＤアレイ１８は、光を光導体２７に供給する。光導体２７は、反射板３１内の開口部２９によって形成された開口を有する。開口部２９の外側にある光は、光導体２７内に反射して戻される。開口部２９は、反射体２４の開口部に適合する大きさになっている。ＬＥＤアレイ１８を反射基板上に取り付け、光を開口部２９に向けて反射することができる。開口部２９は、空所又は選択的伝達性構成要素とすることができる。開口部は、ある一定の偏光の光のみを伝達して他の光を反射して戻す偏光ミラー、又はある一定の波長の光のみを伝達して他の光を反射して戻す２色性ミラー、又はある一定の円錐内の光のみを伝達する回折格子とすることができる。
【００１８】
また、矩形開口部３０を取り囲む反射部分を有する反射ディスク２８も図２Ｂに示している。開口部３０は、空所にするか又は上述の選択的伝達性構成要素のいずれかとすることができる。従って、ある一定の望ましい特性を有する光のみが下流側システム内に伝達される。
【００１９】
反射開口は、光軸に関して中央に配置する必要はない。実際に、場合によっては、中心から外すと再循環効率を上げることができるであろう。
選択的伝達性ミラーでシステム内に反射して戻された光は、望ましい特性を有するように反射体又は光導体２７内で光学要素又は材料によって変えることができる。例えば、光の角度又は偏光は、回折格子又はミラーによって伝達されるように変えることができる。
【００２０】
図３は、入力を光混合トンネル３２内に供給する図２Ａの光源を示している。全ての実施形態に対して、図２Ｂの光源又は別の光源を使用することができる。一実施形態では、混合トンネル３２は、プラスチック又はガラスのような中実透明材料であり、光は、材料と空気の異なる屈折率のために外面で内部全反射される。混合トンネル３２は、円筒形や矩形などのようなあらゆる形状とすることができる。２色性ミラー３４及び３５は、混合トンネル３２の内部に角度（例えば、４５°）を成して固定される。２色性ミラーは、特定の同調色（例えば、赤、緑、又は青）のみを反射して他の全ての色を伝達する被覆干渉ミラーである。２色性ミラーは、例えば「Ｕｎａｘｉｓ  Ｂａｌｚｅｒｓ  Ｌｉｍｉｔｅｄ」から少なくとも赤、緑、及び青色光に対して市販されている。
【００２１】
赤色光源３６は、赤色ＬＥＤ３７のアレイと、開口部３０によって決まる大きさの平行赤色ビームを生成するための図２に示す残りの構成要素とを含む。青色光源３８は、青色ＬＥＤ３９のアレイと、図２Ａと同じ反射体２４とすることができる反射体４０と、放熱板４２と、ファン４４とを含む。緑色光源４６は、緑色ＬＥＤ４７のアレイと、図２Ａと同じ反射体２４とすることができる反射体４８とを含む。緑色光源４６は、より小型な構造体になるように青色光源３８と同じ放熱板４２及びファン４４を共有することができる。
【００２２】
２色性ミラー３４及び３５上の干渉コーティングのために、赤色光は、ほとんど減衰なしに通過することができる。２色性ミラー３４は、青色光を反射し、従って、青色光源３８によって発せられた光は、混合トンネルの出力ポート５０に向けて反射される。２色性ミラー３５は、緑色光を反射し、従って、緑色光源４６によって発せられた光は、混合トンネルの出力ポート５０に向けて反射される。赤、緑、及び青色ビームの形状は、出力ポート５０での光が赤、緑、及び青色光源の強度によって決まる均質な色になるように、重なり合って混合したビームをもたらす。例えば、電流制御又は各アレイ内のＬＥＤ数によって３色の強度を調節することにより、白色を含むあらゆる色を生成することができる。
【００２３】
２色性ミラーの代わりに又は２色性ミラーと共に偏光ミラーを使用することができる。偏光ミラーは、ある一定の偏光を有する光のみを反射して他の偏光を有する光を通過させるものである。図３の異なる光源からの光は、異なる偏光を有するように濾過することができ、傾斜した偏光ミラーは、図３の２色性ミラーと同じ機能を実行すると考えられる。
【００２４】
図３の例においては、混合トンネルの光出力は、光導体５２（例えば、ルーサイトロッド）によって投射機の液晶パネルの背面のような別の構成要素に案内される。角度変換アダプタ５４は、混合トンネル３２の出力ポート５０に適合した入力ポート開口部と、光導体５２に適合した出力ポート開口部とを有する。アダプタ５４は、反射性内壁を有する。代替的に、混合トンネル３２の光出力は、目標上に直接に投射することができる。
【００２５】
図４は、前部に光を発する開口部６２、及び後部に光を受光する開口部６３を有する、図３の赤色光源３６のような混合トンネル６０の別の実施形態である。混合トンネル６０は、３ＭによるＥＳＲフィルムで被覆した壁のような反射性内面（９８％の反射率）を有して中空となっている。壁上には、反射コーティング６５が示されている。混合トンネル６０は、反射コーティングがプラスチックトンネルの内側又は外側にある透明プラスチックで形成することができる。代替的に、混合トンネル６０の壁は、艶出し研磨アルミニウムとしてもよい。反射壁は、拡散反射性として（例えば、平坦な白色塗料を用いて）光混合を増大させることができる。混合トンネル６０は、円筒形や矩形などのようなあらゆる形状とすることができる。２色性ミラー３４（青色反射）及び２色性ミラー３５（緑色反射）は、図３のものと同一とすることができる。２色性ミラー６４及び６６は、システムの効率を上げるために底部入力ポートに位置している。２色性ミラー６４は、入射青色光を通過させるが全ての他の色を反射してこれらの他の色がその入力ポートを通じて混合トンネルを出るのを防止するように選択される。２色性ミラー６６は、入射緑色光を通過させるが全ての他の色を反射してこれらの他の色がその入力ポートを通じて混合トンネルを出るのを防止するように選択される。
【００２６】
図５は、レンズ６８を使用して入射光ビーム形状に影響を与える点を除いて図３と類似のものである。例えば、反射体２４、４０、４８は、適切に光を平行化するには小さすぎるであろう。レンズ６８は、従って、光を平行化するか又はあらゆる望ましい方法でビームを成形するように作用することになる。レンズ７０を使用して、光導体７２への印加又は直接投射のための集光ビーム、平行ビーム、又は他の形状のビームを生成することができる。
【００２７】
図６は、ポンプＬＥＤで蛍光体を活性化する効率的な技術を示している。この例においては、緑色蛍光体７４（すなわち、ポンプ色によって活性化された時に緑色光を発する蛍光体）が、青色又はＵＶのＬＥＤアレイ７６によって活性化されている。緑色蛍光体は、ＬＥＤの分野で公知のものであり、英国エセックス州ナツェイング所在の「Ｐｈｏｓｐｈｏｒ  Ｔｅｃｈｎｏｌｏｇｙ  Ｌｉｍｉｔｅｄ」及び他所から購入することができる。蛍光体粒子は、結合剤内に分配され、これは、次に、あらゆる大きさのシートのようなあらゆる形状を有するように成形される。形成した緑色蛍光体７４は、図３の反射体４８と同じか又は類似のものとすることができる反射体７５内に示されている。放熱板７６及びファン７７も示されている。
【００２８】
図３に示す光源３８と同じか又は類似のものとすることができる青色又はＵＶポンプ光源８０及び反射体８１は、青色又はＵＶ光を通過させて緑色光を反射するように選択された２色性ミラー８２に向けて平行ビームを発する。伝達された光は、緑色蛍光体７４を活性化し、その放射光は、２色性ミラー８２によって出射開口部又は光トンネル８４に向けて反射される。青色又はＵＶ光ポンプは、ＬＥＤのアレイ又は他の形式の光源とすることができる。放熱板８６及びファン８７も示されている。
【００２９】
図７は、緑色光を青色及び赤色光と混合する混合トンネルと共に使用される、図６に示すものと同様の蛍光体活性化構造を示している。青色又はＵＶ光源８０は、２色性ミラー８２を通じて緑色蛍光体７４を活性化する。反射体８８は、光を平行化する。２色性ミラー８２は、緑色光を混合トンネル９０内に反射する。青色ＬＥＤ９２のアレイによって発せられた青色光は、反射体９４によって平行化され、全ての他の色を通す２色性ミラー９６によって反射される。赤色ＬＥＤ９８のアレイによって発せられた赤色光は、反射体１００によって平行化され、全ての他の色を通す２色性ミラー１０２によって反射される。従って、緑色光、青色光、及び赤色光は、全て混合トンネル９０内で混合され、混合トンネル９０の出力ポート１０４に向けられる。光導体５２及びアダプタ４５は、図３のものと同じとすることができる。この装置は、混合した（例えば、白色）光が望ましい投射器又はあらゆる他の装置とすることができる。
【００３０】
図８は、２色性ミラー９６及び１０２のＸ構成を使用してより小型の装置を形成する点を除いて図７と類似の構造を示している。
【００３１】
図９は、混合トンネル１０４が９０°回転されてミラーが相互に交換された点を除いて図７と類似の構造を示している。２色性ミラー１０６は、緑色光蛍光体７４によって発せられた緑色光を反射し、２色性ミラー１０８は、赤色光源１１０によって発せられた赤色光を反射する。青色光源１１２からの青色光は、ミラー１０６及び１０８を通過する。放熱板１１４とファン１１６及び１１７も示されている。このような構成は、緑色光が少なくとも一切の２色性ミラーを通過しなくてもよいので、緑色光の減衰は最小である。光源の配置は、従って、三色の効率を最適化するために用いられる。
【００３２】
図１０は、平行化反射体８８及び１２６内の緑色蛍光体７４及び赤色蛍光体１２４をそれぞれ活性化するための青色又はＵＶポンプ１２０及び１２２の使用を示している。代替的に、単一の青色又はＵＶ光源は、適切なミラー配置を用いて両方の蛍光体を活性化することができる。２色性ミラー８２及び１２５は、緑色光を反射し、２色性ミラー１２８及び１２９は、赤色光を反射する。青色ＬＥＤアレイ１３２からの青色光は、出力ポート１３４まで通される。
図示の光学的構造は、単にＬＥＤだけではなくあらゆる適切な光源と共に使用することができる。これらの構造は、ディスプレイ分野におけるような多くの可能な用途を有する。
【００３３】
図１１は、ラップトップコンピュータからの表示信号を受信してスクリーン上に投射するためのカラー画像を生成するカラー投射器内の液晶（ＬＣ）パネル１３８の側面図である。パネル１３８は、赤、緑、及び青色ピクセルＬＣシャッタ（表示信号によって制御される）と、関連ピクセルのための赤、緑、及び青色光フィルタとを有する。上述の混合トンネルからの白色光１４０は、パネル１３８の背面に印加される。赤色濾過光は、赤色ピクセルシャッタに印加され、緑色濾過光は、緑色ピクセルシャッタに印加され、青色濾過光は、青色ピクセルシャッタに印加される。ＬＣシャッタは、対応するＲＧＢピクセル域でＲ、Ｇ、又はＢ光成分を選択的に減衰し、フルカラー画像投射を生成する。拡散器１４２は、更に、シャッタ／フィルタにわたって光を平滑化することができる。上述の白色光源は、一般的に、従来の投射器における白色アークランプに取って代わるものである。説明した光混合技術は、ＬＣＤテレビ及びモニタのためのバックライトを作成することもできる。
【００３４】
図１２は、指定の視角内の画像を明るくする前部レンズ１４６と、一組の赤、緑、及び青色ＬＥＤ光源１４８と、ＲＧＢ光を変調及び集光してカラーＴＶ画像を生成するための変調器／光学機器１５０と、反射体１５２とを有する背面投射型テレビ１４４の側面図である。上述のように、光源として蛍光体を代わりに使用することもできる。変調器／光学機器１５０は、制御可能ミラーのアレイ、ＬＣパネル、又はあらゆる他の適切な装置を含むことができる。各光源は、反射開口２８と共に図２の平行化反射体２４を含むことができる。ＲＧＢ光を組合せて変調光学機器１５０の前に白色光源を形成することができ、又は別々に変調されたＲＧＢ画像を前部レンズ１４６上の対応するＲＧＢピクセル位置に集束させることができる。後者の技術は、変調器／光学機器１５０における減衰ＲＧＢフィルタの使用を回避するものである。この技術は、投射器にも使用することができる。
【００３５】
本明細書で説明した光システムの他の用途としては、自動車用途、光ファイバ、アクセント照明、舞台照明、及び他の用途がある。
【００３６】
本発明の特定的な実施形態を示して説明したが、本発明から逸脱することなくそのより広い態様において変更及び修正を行うことができることが当業者には明かであろう。従って、特許請求の範囲は、本発明の真の精神及び範囲に該当するような全てのそのような変更及び修正をその範囲に含むものとする。
【図面の簡単な説明】
【００３７】
【図１】サブマウントのような支持構造体上に取り付けられた、アレイの一部分を形成する２つのＬＥＤダイの側面図である。
【図２Ａ】指定の断面を有する平行ビームを達成するために反射開口を有する放物形反射体によって取り囲まれた図１のＬＥＤアレイの側面図である。
【図２Ｂ】望ましい特性を有する光のみを反射体内に伝達する図２Ａの反射体の付加的な詳細を光学機器と共に示す図である。
【図３】傾斜２色性ミラーを有する色混合トンネル（例えば、中実透明材料）に光を当てる赤、緑、及び青色ＬＥＤ平行光源の側面図である。
【図４】トンネルが中実ではなく、かつ壁が反射性の混合トンネルの別の実施形態の側面図である。
【図５】入力ポート及び出力ポートにおけるレンズを用いて光を色混合トンネルに当てる赤、緑、及び青色ＬＥＤ平行光源の側面図である。
【図６】緑色蛍光体をポンピングして活性化し、放射した緑色光が傾斜２色性ミラーによって光トンネル内に反射される平行青色又はＵＶのＬＥＤの側面図である。
【図７】図３と図６の技術を組合せた混合器の側面図である。
【図８】図７の混合器と類似であるがＸミラー構成を用いるものを示す図である。
【図９】図７の混合器と類似であるが９０度回転した混合器を有するものを示す図である。
【図１０】図８と類似であるが赤及び緑色光源として活性化した赤及び緑色蛍光体を用いるものを示す図である。
【図１１】混合トンネル内で混合されるＲＧＢ光源を用いるバックライトを有する液晶パネルの側面図である。
【図１２】ＬＥＤをＲＧＢ光源として用いる背面投射型ＴＶの側面図である。
【符号の説明】
【００３８】
１８  ＬＥＤアレイ
２０  放熱板
２４  反射体
３０  開口部
【図１】
2006332042.tif 000003
【図２Ａ】
2006332042.tif 000004
【図２Ｂ】
2006332042.tif 000005
【図３】
2006332042.tif 000006
【図４】
2006332042.tif 000007
【図５】
2006332042.tif 000008
【図６】
2006332042.tif 000009
【図７】
2006332042.tif 000010
【図８】
2006332042.tif 000011
【図９】
2006332042.tif 000012
【図１０】
2006332042.tif 000013
【図１１】
2006332042.tif 000014
【図１２】
2006332042.tif 000015
【外国語明細書】
2006332042.tif 000016
2006332042.tif 000017
2006332042.tif 000018
2006332042.tif 000019
2006332042.tif 000020
2006332042.tif 000021
2006332042.tif 000022
2006332042.tif 000023
2006332042.tif 000024
2006332042.tif 000025
2006332042.tif 000026
2006332042.tif 000027
2006332042.tif 000028
2006332042.tif 000029
2006332042.tif 000030
2006332042.tif 000031
2006332042.tif 000032
2006332042.tif 000033
2006332042.tif 000034
2006332042.tif 000035
2006332042.tif 000036
2006332042.tif 000037
2006332042.tif 000038
2006332042.tif 000039
2006332042.tif 000040